(57)【要約】【課題】  内視鏡装置のプロセッサにおける複数の調整を行うための調整器の構成を簡略化して小型を図る。【解決手段】  モニタに表示す映像を調整するためのプロセッサ１の調整器４は、複数の調整モードを切り替えるモード切替手段４４と、切り替えた調整モードを表示するモード表示手段４３と、各調整モードでのレベル調整を行うためのレベル調整手段４２と、調整したレベルを表示するレベル表示手段４１とを備え、レベル調整手段４２はモード切替手段４４で切り替えた調整モードでのレベル調整が可能であり、レベル表示手段４１は切り替えた調整モードで調整された調整レベルを表示する。１つのレベル調整手段で異なる複数の調整モードのレベル調整を行ない、調整したレベルを１つのレベル表示手段で表示することが可能になる。【選択図】  図１
2005253495.tif 000002
【特許請求の範囲】
【請求項１】
電子スコープで撮像してモニタに表示する映像について複数の異なる調整モードのレベル調整が可能な調整器を備える内視鏡装置において、前記調整器は前記複数の調整モードを切り替えるモード切替手段と、切り替えた調整モードを表示するモード表示手段と、前記各調整モードでのレベル調整を行うためのレベル調整手段と、調整したレベルを表示するレベル表示手段とを備え、前記レベル調整手段は前記モード切替手段で切り替えた調整モードでのレベル調整が可能に構成され、前記レベル表示手段は前記切り替えた調整モードで調整された調整レベルを表示するように構成されたことを特徴とする内視鏡装置。
【請求項２】
前記調整器は電子スコープ及びモニタとともに内視鏡装置を構成するプロセッサのフロントパネルに配設されていることを特徴とする請求項１に記載の内視鏡装置。
【請求項３】
前記調整モードは、前記モニタに表示されるカラー映像の輝度を調整するモード、複数の色相を調整するモードを含んでいることを特徴とする請求項２に記載の内視鏡装置。
【請求項４】
前記モード切替手段は、押下したときに前記複数の調整モードを順序的に切り替えるモード切替釦で構成されていることを特徴とする請求項３に記載の内視鏡装置。
【請求項５】
前記モード表示手段は、前記複数の調整モードに対応する複数個のＬＥＤで構成され、前記モード切替手段によって切り替えられる調整モードに対応して選択的に発光する構成であることを特徴とする請求項４に記載の内視鏡装置。
【請求項６】
前記レベル調整手段は、レベルを上昇させるＵＰ釦と、レベルを下降させるＤＯＷＮ釦とで構成されていることを特徴とする請求項３ないし５のいずれかに記載の内視鏡装置。
【請求項７】
前記レベル表示手段は異なるレベルに対応した複数個のＬＥＤで構成され、前記レベル調整手段により調整されたレベルに対応して選択的に発光する構成であることを特徴とする請求項６に記載の内視鏡装置。
【発明の詳細な説明】
【技術分野】
【０００１】
本発明は内視鏡装置に関し、特にプロセッサのフロントパネルを改善して装置の小型化、多機能化を実現することが可能な内視鏡装置に関するものである。
【背景技術】
【０００２】
内視鏡装置は、患者の体内を撮像した撮像信号を取得するための電子スコープと、電子スコープでの撮像動作に必要な照明動作を行うと同時に、電子スコープで取得した撮像信号に増幅等の処理を施した後、モニタにおいて表示可能な映像信号に変換処理するためのプロセッサとを備えている。このプロセッサでは、特に電子スコープで撮像してモニタにおいて表示した映像の明るさ（輝度）や色相を調整するための調整器がフロントパネルに配設され、自動あるいは手操作によって調整を行うようになっている。
【０００３】
図５は従来の内視鏡装置におけるプロセッサ１Ａの前面のフロントパネル１１を示しており、フロントパネル１１には、電子スコープで撮像してモニタに表示される映像のホワイトバランス等の色相調整器として、照明動作を制御して映像の明るさ（輝度：BRIGTNESS ）を調整するための輝度調整器４Ｙ、映像の赤（RED)成分の増幅度（ゲイン）を調整するための赤色調整器４Ｒ、同じく青(BLUE)成分の増幅度を調整するための青色調整器４Ｂが配設されている。輝度調整器４Ｙは、映像の明るさを５段階にレベル表示するための５つのＬＥＤを上下方向に配列した輝度レベル表示器４１Ｙと、この輝度レベル表示器４１Ｙでのレベル表示を利用して輝度のレベルを上昇、下降調整するＵＰ及びＤＯＷＮの各釦からなる輝度レベル調整釦４２Ｙとを備えている。また、赤色調整器４Ｒと青色調整器４Ｂも同様に、それぞれ５つのＬＥＤで構成されて各色のレベルを表示する赤色レベル表示器４１Ｒ、青色レベル表示器４１Ｂと、これらのレベル表示器でのレベル表示を利用して赤色レベルと青色レベルをそれぞれ増減して調整する赤色レベル調整釦４２Ｒと青色レベル調整釦４２Ｂとを備えている。また、前記フロントパネル１１には、電子スコープを照明する光源ランプを点灯／消灯するための光源ランプスイッチ５とともに、自動調光と手動調光とで切り替えを行い、手動調光時に輝度調整器４Ｙの操作を有効とするための調光自動手動切替スイッチ６と、自動調光時に基準輝度値と比較する参照輝度値を最大レベル輝度値から求めるピーク測光方式と該参照輝度値を平均レベル輝度値から求める平均測光方式とで切り替えるための測光方式切替スイッチ７とが配設されている。なお、図５において２，３はそれぞれ電子スコープを電気的・光学的に接続するためのコネクタ、８は主電源スイッチである。
【０００４】
このような内視鏡装置と同様な構成の公知例として、特許文献１には、フロントパネルに電子スコープの撮像露出を決定するための手動自動露出切替スイッチ、露出定数設定スイッチ、照診光（照明光）の光量設定スイッチが配設され、これらのスイッチを操作すると共に、設定した定数や光量を表示器において表示することができるようになっている。
【特許文献１】特公平６−２７８９８号公報
【発明の開示】
【発明が解決しようとする課題】
【０００５】
図５に示した従来のプロセッサでは、フロントパネル１１に輝度調整器４Ｙ、赤色調整器４Ｒ、青色調整器４Ｂを配設しており、各調整器はそれぞれレベル表示を行うための５つのＬＥＤからなるレベル表示器４１Ｙ，４１Ｒ，４１Ｂとレベル調整釦４２Ｙ，４２Ｒ，４２Ｂを備えている。そのため、これらの調整器４Ｙ，４Ｒ，４Ｂがフロントパネル１１に占めるスペースが大きくなり、フロントパネルが大型化するとともに、フロントパネルのサイズで規定されるプロセッサ１Ａもサイズが大型化する要因になっている。また、各調整器はそれぞれほぼ同じ構成のレベル表示器とレベル調整釦とで構成されているため、フロントパネルを構成するための部品点数が多くなり、プロセッサの構造を簡略化、かつ低価格化する上での障害になっている。このことは見方を変えると、同じサイズのプロセッサではフロントパネルに配設する調整器の数に限りが生じることになり、他の種類の調整器を増やしてプロセッサの多機能化を図ることが困難になる。
【０００６】
本発明の目的は、フロントパネルにおける所要の調整機能を確保した上でフロントパネルに配設する調整器の構成を簡略化するとともにプロセッサの小型を図ることを可能にし、あるいは同じサイズのプロセッサにおける他機能化を可能にした内視鏡装置を提供するものである。
【課題を解決するための手段】
【０００７】
本発明の内視鏡装置では、モニタに表示す映像を調整するための調整器は、複数の調整モードを切り替えるモード切替手段と、切り替えた調整モードを表示するモード表示手段と、各調整モードでのレベル調整を行うためのレベル調整手段と、調整したレベルを表示するレベル表示手段とを備えており、レベル調整手段はモード切替手段で切り替えた調整モードでのレベル調整を可能に構成され、レベル表示手段は切り替えた調整モードで調整された調整レベルを表示するように構成される。本発明の内視鏡装置では、調整器は電子スコープ及びモニタとともに内視鏡装置を構成するプロセッサのフロントパネルに配設される。また、本発明では、調整モードはモニタに表示されるカラー映像の輝度を調整するモード、複数の色相を調整するモードを含んでいる。
【発明の効果】
【０００８】
本発明によれば、モード切替手段で調整モードを切り替えることにより、同じレベル調整手段で異なる複数の調整モードのレベル調整が可能になり、しかも調整したレベルを同じレベル表示手段において表示することが可能になる。また、モード表示手段によって、同じレベル調整手段で調整するモードが確認できる。これにより、１つの調整器で複数の異なる調整モードでのレベル調整とその表示が実現でき、プロセッサの構成の簡略化が実現できるとももに、プロセッサのフロントパネルにおいて調整器が占めるスペースを低減でき、プロセッサの小型化を図ることができる。逆に、同一サイズのプロセッサの場合にはフロントパネルに新たな操作手段を配設することが可能になり、多機能化を図ることも可能になる。
【発明を実施するための最良の形態】
【０００９】
本発明の好ましい形態として、モード切替手段は、押下したときに複数の調整モードを順序的に切り替えるモード切替釦で構成される。モード表示手段は複数の調整モードに対応する複数個のＬＥＤで構成され、モード切替手段によって切り替えられる調整モードに対応して選択的に発光する構成とする。レベル調整手段は、レベルを上昇させるＵＰ釦と、レベルを下降させるＤＯＷＮ釦とで構成される。レベル表示手段は異なるレベルに対応した複数個のＬＥＤで構成され、レベル調整手段により調整されたレベルに対応して選択的に発光する構成とする。
【実施例１】
【００１０】
次に、本発明の実施例１を図面を参照して説明する。図１は本発明の内視鏡装置のプロセッサの正面図、すなわちプロセッサのフロントパネルを示す図である。前記プロセッサ１には、図には表れない電子スコープが着脱可能とされており、フロントパネル１１の向かって左側領域には電子スコープのコネクタとライトガイドケーブルがそれぞれ接続される一対のコネクタ部２，３が配設されている。また、前記プロセッサ１は電子スコープで撮像した撮像信号を信号処理して映像信号とし、プロセッサに接続されている図には表れないモニタに当該映像信号に基づく映像を表示するように構成される。
【００１１】
また、前記プロセッサ１のフロントパネル１１の向かって右側領域には、前記モニタに表示される映像の調整器４が配設される。この調整器４は、当該映像の明るさ（輝度）を調整するための輝度調整と、映像の赤成分の色調整を行う機能と、映像の青成分の色調整を行う機能を有している。すなわち、前記調整器４は、表示レベルを「１」から「５」の５段階にレベル表示するためにいずれか１つが選択的に発光する５つのＬＥＤを上下方向に配列したレベル表示器４１と、このレベル表示器４１によるレベル表示を視認しながらレベルを上方向、下方向に調整するために用いるＵＰ釦４２Ｕ及びＤＯＷＮ釦４２Ｄからなる１組のレベル調整釦４２と、前記レベル表示器４１での表示が、輝度／赤色／青色のいずれの調整モードでのレベルを表示するものであるかを表示するためにいずれか１つが選択的に発光する３つのＬＥＤを水平方向に配列したモード表示器４３と、このモード表示器４３での表示を視認しながら前記３つの調整モードを切り替えるためのモード切替釦４４とを備えている。
【００１２】
さらに、前記プロセッサ１のフロントパネル１１の中央領域には、プロセッサに接続されている電子スコープでの照明を行うためにプロセッサに内蔵されている図には表れない光源ランプを点灯／消灯するための光源ランプスイッチ５と、調光調整を自動調整と手動調整とに切り替えるための調光自動手動切替スイッチ６と、自動調光時の測光方式をピーク測光方式と平均測光方式とで切り替えるための測光方式切替スイッチ７と、主電源スイッチ８が配設されている。
【００１３】
図２はプロセッサ１内に内蔵されて種々の制御を実行するＣＰＵ（マイクロコンピュータ）１００にかかわる電気回路構成を示す概略回路図であり、前記ＣＰＵ１００は電子スコープで撮像した信号を処理する信号処理回路１１０を制御可能に構成されており、特に信号処理回路１１０で生成する映像信号の輝度、赤成分の増幅度、青成分の増幅度を調整するための制御信号を信号処理回路１１０に出力することが可能とされている。前記ＣＰＵ１００には、前記したレベル表示器４１、レベル調整釦４２、モード表示器４３、モード切替釦４４が接続されている。また、一方で前記ＣＰＵ１００には前記光源ランプスイッチ５、調光自動手動切替スイッチ６、測光方式切替スイッチ７の各情報が入力されるように構成されている。その上で、ＣＰＵ１００は、モード切替釦４４の操作状態信号を受信し、この受信したモード切替釦４４の操作状態信号に基づいて前記信号処理回路１１０における輝度／赤色／青色の３つの調整モードのうちの１つの調整モードを実行する状態に設定するとともに、その設定に基づいてモード表示器４３の対応する１つのＬＥＤを発光してモード表示を実行させるように構成されている。また、ＣＰＵ１００は、レベル調整釦（ＵＰ釦４２ＵとＤＯＷＮ釦４２Ｄ）４２の操作状態信号を受信し、この状態に対応して信号処理回路１１０に設定された調整モードのレベル調整を実行し、これと同時にレベル表示器４１の対応する１つのＬＥＤを発光してそのレベルを表示するように構成されている。
【００１４】
このように構成されたプロセッサにおけるフロントパネルの操作について説明する。図３は操作のフローチャートである。図３（ａ）はプロセッサメイン動作のフローＳ１００であり、ＣＰＵ１００は主電源スイッチ８のオン・オフ状態を認識し（Ｓ１０１）、オンを認識したときにプロセッサ１でのメイン処理を実行する（Ｓ１０２）。このメイン処理Ｓ１０２は光源ランプスイッチ５のオン操作によりプロセッサに内蔵の光源ランプを点灯して電子スコープに対して照明光を送出する一方で、電子スコープで撮像した撮像信号を信号処理回路１１０において処理して映像信号を生成し、モニタにおいて映像を表示させる一連の処理である。そして、主電源スイッチ８のオフを認識したときにはフローを終了する（Ｓ１０３）。
【００１５】
図３（ｂ）はモード切替フローＳ２００であり、プロセッサメイン動作フローＳ１００への割り込みフローとなる。内視鏡の操作者がモニタに表示された映像を観察しながら、その映像の輝度／赤色／青色のレベル調整を確認するときには、先ずモード切替釦４４を操作する（Ｓ２０１）。ＣＰＵ１００はモード切替釦４４が押されたことにより調整モードが輝度／赤色／青色のいずれであるかを認識し、この認識によりＣＰＵ１００は信号処理回路１１０における調整のモードを切り替え、信号処理回路１１０では映像信号に対して輝度／赤色／青色のいずれかの調整が可能な状態に切り替えられ、さらに切り替えられたモードでのレベル調整が可能になる。この実施例では、モード切替釦４４を１回押すごとに「輝度」，「赤色」，「青色」の順序で切り替えが行われる。また、これと同時にＣＰＵ１００は切り替えられた調整モードに対応してモード表示器４３の３つのＬＥＤの対応する１つを発光させてモード表示を実行する。これにより、操作者は発光したＬＥＤを視認することで、現在の調整モードを確認することができる。例えば、図１では調整モードとして輝度が設定された状態を示しており、対応するＬＥＤが発光されている。
【００１６】
また、操作者が調光自動手動切替スイッチ６を操作して自動に切り替えると、ＣＰＵ１００は予め設定されている所定のアルゴリズムで信号処理回路１１０を制御し、切り替え設定された輝度調整モードでの調整レベルに対応した自動調光を実行する。一方、操作者が調光自動手動切替スイッチ６を操作して手動に切り替えると、ＣＰＵ１００は予め設定されている所定のアルゴリズムで信号処理回路１１０を制御し、切り替え設定された輝度調整モードでの調整レベルに対応して手動調光を実行する。
【００１７】
図３（ｃ），（ｄ）は操作者がモード切替釦４４を操作して輝度／赤色／青色の３つの調整モードのうちの１つの調整モードに切り替えたときのその調整モードにおけるレベル調整フローＳ３００，Ｓ４００であり、同じくプロセッサメイン動作フローＳ１００への割り込みフローとなる。図３（ｃ）のＵＰフローＳ３００において、ＵＰ釦４２Ｕが操作されると、ＣＰＵ１００はモード切替釦４４により選択されている調整モードにおける現在のレベルが最大（ＭＡＸ）であるか否かを判定し（Ｓ３０１）、最大でない場合には信号処理回路１１０を制御し、設定された調整モードに対応するレベルを１段増大する（Ｓ３０２）。これは操作者がＵＰ釦４２Ｕを操作する毎に繰り返され、最大レベルに達するまで行われる。図３（ｄ）のＤＯＷＮフローＳ４００も同様であり、ＤＯＷＮ釦４２Ｄを操作する毎にＣＰＵ１００はモード切替釦４４により選択されている調整モードにおける現在のレベルが最小（ＭＩＮ）であるか否かを判定し（Ｓ４０１）、最小でない場合にはレベルを１段低減する（Ｓ４０２）。このようにレベル変更に基づいて信号処理回路１１０を制御して輝度／赤色／青色のうちの設定されている調整モードでのレベル調整を実行させる。また、これと同時にＣＰＵ１００は、レベル調整釦４２で設定されたレベルをレベル表示器４１に表示させる。これにより、操作者は手動により調整するレベルを確認することができる。
【００１８】
以上のように、モード切替釦４４を操作することによりフロントパネル１１に配設されている調整器４を輝度／赤色／青色のいずれかの調整モードに切り替えることができ、切り替えた調整モードはモード表示器４３において表示される。そして、この切り替えた調整モードにおいてレベル表示器４１にはＵＰ釦４２Ｕ及びＤＯＷＮ釦４２Ｄで自動調整された輝度（基準輝度）又は赤色調整又は青色調整の各レベルが表示されることになる。これにより、１対のレベル調整釦４２と１つのレベル表示器４１でそれぞれ輝度／赤色／青色の異なる調整モードでのレベル調整を行うことができ、同時に各調整モードでのレベルが表示を行うことが可能になる。また、モード切替釦４４を操作して調整モードに切り替えた時に、切り替える直前の調整レベルのデータをＣＰＵ１００等に設けられたＲＡＭや不揮発性メモリ等の記憶素子（不図示）に退避し、再度同じ調整モードに設定された時にその退避されていた調整レベルのデータをその記憶素子から読み出してきてレベル表示器４１に表示すべきデフォルトのレベルとしてもよい。
【００１９】
したがって、フロントパネル１１に配設した１つの調整器４で輝度／赤色／青色の異なる３つの調整モードの調整レベルを行うとともに、それぞれのレベル表示を行うことができ、フロントパネル１１に配設することが要求される調整器の構造を簡略化するとともに、フロントパネル１１において調整器が占めるスペースを低減することができる。これにより、図５に示した従来のプロセッサに比較してプロセッサの小型化が実現できる。また、このようにフロントパネル１１に占める調整器のスペースを低減することで、フロントパネルが同じサイズのプロセッサの場合には、図４に示すように、フロントパネルに新たなスペースを確保でき、このスペースに別の機能を実行するためのスイッチ等を配設することが可能になり、プロセッサの多機能化を図ることも可能である。図４の場合には、新たに「ENHANCE 」（画像の輪郭強調），「WHITE BAL 」（自動ホワイトバランス調整）, 「FREEZE」（静止画取得）,
「COPY」（画像印刷）の各機能スイッチ群９を配設し、これらの機能を増やした多機能なフロセッサが構成できる。
【００２０】
ここで、調整モードの切り替えについては、実施例１ではモード切替釦４４の押下操作によって切り替えるように構成しているため操作性の点で優れているが、この点で問題がない場合にはモード切替釦に代えて回転ダイヤルあるいはスライドスイッチで構成し、各回転位置あるいはスライド位置の表示に応じて調整モードを表示するように構成してもよく、ＬＥＤを削減し、さらなる小型化、構成の簡略化が実現できる。
【００２１】
また、レベル表示器として、実施例１では複数のＬＥＤで構成しているので低コストに構成できるが、価格の点で問題がない場合にはＬＥＤに代えてＬＣＤ（液晶）表示装置を利用してもよい。この場合にもＬＣＤ表示面の同一表示部を利用して異なる調整モードでの各レベルを表示するように構成することでＬＣＤ表示装置の小型化が実現できる。また、ＬＣＤ表示装置を用いる場合には、その一部において調整モードの表示を行うようにしてもよい。
【００２２】
なお、この実施例１の場合に、前記した調光自動手動切替スイッチ６、測光方式切替スイッチ７の切り替え状態をそれぞれ表示するための表示器を例えばＬＥＤで構成しておけば、輝度調整モード時のレベル表示器で表示されているレベルが自動調光調整によるものか手動調光調整によるものか、あるいは自動調光時の参照輝度値が最大レベル輝度値によるものか平均レベル輝度値によるものかを認識することも可能であり、利便性をより高めることが可能になる。
【００２３】
実施例１では、調整モードとして輝度／赤色／青色を選択してレベル調整する例を示したが、これ以外の調整を行う機能を有するプロセッサに対しても本発明を適用することが可能である。また、調整モードの数、すなわち調整機能種の数も必要に応じて増減して設定することができ、その場合にはモード切替器における切り替え数を設定に対応して増減させるとともに、モード表示器の数も対応させるようにすればよい。レベル表示器の表示レベル数についても同様に適宜数に設定することができる。
【図面の簡単な説明】
【００２４】
【図１】本発明の実施例１の内視鏡装置のプロセッサの正面図である。
【図２】プロセッサ内部のＣＰＵに関連する回路構成図である。
【図３】表示動作を説明するためのフローチャートである。
【図４】実施例１の変形例のプロセッサの正面図である。
【図５】従来のプロセッサの正面図である。
【符号の説明】
【００２５】
１  プロセッサ
２，３  コネクタ
４  調整器
５  光源ランプスイッチ
６  調光自動手動切替スイッチ
７  測光方式切替スイッチ
８  主電源スイッチ
９  機能スイッチ群
１１  フロントパネル
４１  レベル表示器
４２  レベル調整釦
４３  モード表示器
４４  モード切替釦
１００  ＣＰＵ
１１０  信号処理回路
【図１】
2005253495.tif 000003
【図２】
2005253495.tif 000004
【図３】
2005253495.tif 000005
【図４】
2005253495.tif 000006
【図５】
2005253495.tif 000007